(57)【要約】【課題】過密着を防止して巻物形態の安定化を図り、巻取長を長くすることができる巻取装置を得る。【解決手段】ガイド１６の下部上面１６Ｂは、未加硫長尺ゴムシート１１の下端面を支持し、巻取軸２２へ案内する。巻取軸２２は、軸心２２Ａが水平面に対して垂直配置され、未加硫長尺ゴムシート１１をロール状に巻き取る。巻取軸２２へ巻き取られる未加硫長尺ゴムシート１１の下端面を巻取盤２０が支持する。また、アーム１２は、巻取り径Ｒの大きさ変更による未加硫長尺ゴムシート１１の移動軌跡の変更にガイド１６を追従させて移動する。ガイド１６の支持及び案内により安定して巻き取れ、軸心２２Ａを水平面に対して垂直配置することで、巻き取られた未加硫長尺ゴムシート１１の自重は、巻取盤２０にかかるので、過密着を防止して巻物形態の安定化が図れるとともに、巻取長を長くすることができる。【選択図】      図１
2004224511.tif 000002
【特許請求の範囲】
【請求項１】
軸心が水平面に対して傾斜又は垂直配置され、未加硫長尺ゴムシートをロール状に巻き取る巻取軸と、
前記巻取軸へ巻き取られる前記未加硫長尺ゴムシートの下端面を支持する支持部材と、
を有することを特徴とする巻取装置。
【請求項２】
前記巻取軸へ至る前記未加硫長尺ゴムシートの下端面を支持するガイドを有し、巻取り径の大きさ変更による前記未加硫長尺ゴムシート移動軌跡の変更に前記ガイドを追従させる追従手段を有することを特徴とする請求項１記載の巻取装置。
【発明の詳細な説明】
【０００１】
【発明の属する技術分野】
本発明は、リボン状の未加硫長尺ゴムシートの巻取装置に関する。
【０００２】
【従来の技術】
未加硫長尺ゴムシートの巻取装置は、コンベアによる材料搬送パスを経た未加硫長尺ゴムシートを巻き取る装置である（例えば、特許文献１参照）。このような巻取装置として、図８（Ａ）に示すように、巻取軸１０２の軸心１０２Ａが水平に配置されるものがある。この巻取装置１００では、密着防止用のポリライナー（図示省略）とともに未加硫長尺ゴムシート１０４をその巻取り径が側面視にて垂直方向になるように平連続巻きで巻き取っている。
【０００３】
しかし、この巻取装置１００では、図８（Ｂ）に示すように、巻取軸１０２の上方にて、先に巻き取られた未加硫長尺ゴムシート１０４Ａに後から巻き取られた未加硫長尺ゴムシート１０４Ｂの重さが下方向（矢印Ｇ方向）に加わるため、径が大きくなると、重さの加わった部分１０４Ｃが過密着となる。このため、過密着を防止するために、未加硫長尺ゴムシート１０４を巻き取れる長さは、２００〜３００ｍ程度であった。これにより、後工程で巻き取られた未加硫長尺ゴムシート１０４を使用する際には、後工程の装置に巻取物の掛け替えを何回もしなければならず、例えば、１日６００本のタイヤを生産する場合には、３〜５回は掛け替えなければならなかった。
【０００４】
また、この巻取装置１００で未加硫長尺ゴムシート１０４を巻き取る場合には、巻き取り時にパス蛇行が生じたり、図８（Ａ）に示すように、巻き取り時又は巻き取り後に巻き崩れ等の形態の不安定が生じており、未加硫長尺ゴムシート１０４上には湾曲が発生していた。その湾曲量は、最大で２５ｍｍ〜３０ｍｍ／ｍ程度である。このような湾曲は、巻き出した後にも残るものであり、後工程での作業の自動化を困難にしていた。
【０００５】
【特許文献１】
特開平１０−１５６９６５号公報（第１図）
【０００６】
【発明が解決しようとする課題】
本発明は、上記事実を考慮して、過密着を防止して巻物形態の安定化を図り、巻取長を長くすることができる巻取装置を提供することを課題とする。
【０００７】
【課題を解決するための手段】
請求項１に記載する本発明の巻取装置は、軸心が水平面に対して傾斜又は垂直配置され、未加硫長尺ゴムシートをロール状に巻き取る巻取軸と、前記巻取軸へ巻き取られる前記未加硫長尺ゴムシートの下端面を支持する支持部材と、を有することを特徴とする。
【０００８】
請求項１に記載する本発明の巻取装置によれば、巻取軸は、軸心が水平面に対して傾斜又は垂直配置され、未加硫長尺ゴムシートをロール状に巻き取る。この巻取軸へ巻き取られる未加硫長尺ゴムシートの下端面を支持部材が支持する。このように、巻取軸の軸心を水平でなく、水平面に対して傾斜又は垂直配置することで、巻き取られた未加硫長尺ゴムシートの自重を支持部材にかけることができるので、過密着を防止するとともに下端面を揃えて安定した巻物形態に巻き取ることができ、巻取長を長くすることが可能になる。
【０００９】
請求項２に記載する本発明の巻取装置は、請求項１の構成において、前記巻取軸へ至る前記未加硫長尺ゴムシートの下端面を支持するガイドを有し、巻取り径の大きさ変更による前記未加硫長尺ゴムシート移動軌跡の変更に前記ガイドを追従させる追従手段を有することを特徴とする。
【００１０】
請求項２に記載する本発明の巻取装置によれば、巻き取り時には、ガイドが未加硫長尺ゴムシートの下端面を支持し、巻取軸へ案内する。その際に、追従手段は、巻取り径の大きさ変更による未加硫長尺ゴムシート移動軌跡の変更にガイドを追従させる。このように、巻取軸に直接巻き付けていくのではなく、ガイドが巻取軸へ至る経路で未加硫長尺ゴムシートを支持することで、巻取軸は未加硫長尺ゴムシートをより安定して巻き取ることができる。また、追従手段を設けることで、巻取長に応じてガイドの位置を変えることができるので、良好な巻き取りが実現できる。
【００１１】
【発明の実施の形態】
本発明における巻取装置の実施の形態を図面に基づき説明する。図１は、巻取装置１０の斜視図を示している。巻取装置１０は、巻出機５０（図３参照）の親巾からスリットされて巻き出されたチェーファー等の未加硫長尺ゴムシート１１を巻き取る装置である。ここで巻き取られる未加硫長尺ゴムシート１１は、例えば、幅が４０ｍｍ〜７０ｍｍ程度、ゲージ厚が０．７ｍｍ〜０．９ｍｍ程度とする。
【００１２】
図３に示すように、巻出機５０は、巻出軸５１を備えている。巻出軸５１には、幅広の未加硫長尺ゴムシート１１が、密着防止用のポリライナー（図示省略）とともに巻き付けられている。巻出軸５１に連動するようにハンドル軸５２Ａが設けられ、ハンドル軸５２Ａには、ハンドル５２が取り付けられている。このハンドル５２を回転させると、ハンドル軸５２Ａに合わせて巻出軸５１も回転し、未加硫長尺ゴムシート１１が図示しないカッターで幅狭にカットされ、巻き出されるようになっている。巻出機５０にて、未加硫長尺ゴムシート１１の排出部には、排出ローラ５３が配設されている。排出ローラ５３を通過して未加硫長尺ゴムシート１１は、巻出機５０から外へ送り出される。
【００１３】
排出ローラ５３の送り出し側下流には、搬送ローラ５４が配設され、未加硫長尺ゴムシート１１を搬送する。搬送ローラ５４の送り出し側下方には、ダンサローラ５６があり、巻取機１０による巻き取り時に、未加硫長尺ゴムシート１１の張力調整の機能を果たす。ダンサローラ５６の送り出し側上方には、一対の水平ローラ５８が配設されている。水平ローラ５８は、軸心が水平に配置されている。水平ローラ５８の送り出し側下流には、一対の傾斜ローラ６０が配設されている。傾斜ローラ６０は、軸心が水平面に対して傾斜するように配置されている。傾斜ローラ６０の送り出し側下流には、一対の垂直ローラ６２が配設されている。垂直ローラ６２は、軸心が水平面に対して垂直に配置されている。水平ローラ５８、傾斜ローラ６０及び垂直ローラ６２は、いずれも未加硫長尺ゴムシート１１を挟持しながら回転するようになっている。
【００１４】
図１に示すように、巻取装置１０には、垂直ローラ６２付近より延びる追従手段としてのアーム１２が備えられている。アーム１２は、平面視（図２参照）にて略Ｌ字状に屈曲している。アーム１２にて、未加硫長尺ゴムシート１１の導入側には、回転軸１４が設けられている。回転軸１４は、垂直配置されており、この回転軸１４を支点としてアーム１２が矢印Ａ及び矢印Ｂ方向に動くようになっている。図６は、回転軸１４を垂直方向に切断した、図１の６−６端面図である。図６に示すように、アーム１２の下部に回転軸１４は位置している。
【００１５】
図１に示すように、アーム１２の屈曲内側には、ガイド１６が取り付けられている。図１の５−５端面図である図５に示すように、ガイド１６は、固定手段１５によりアーム１２に固定され、端面視にて略Ｌ字状の片側エッヂガイド型をしている。ガイド１６の下部上面１６Ｂは、未加硫長尺ゴムシート１１の下端面１１Ｂを支持し、図５にて下部左端部より垂直上方に延びる壁部１６Ａは、未加硫長尺ゴムシート１１の側面１１Ａを支持する構成となっている。図１に示すように、片側エッヂガイド型とすることで、未加硫長尺ゴムシート１１のガイドを効率的に実現している。
【００１６】
アーム１２の先端側下部には、摺動部１９があり、巻き取りにおける支持部材としての巻取盤２０に摺動可能に接している。この巻取盤２０は、片つば型をしている。巻取盤２０の中心部には、巻取軸２２が設けられている。巻取軸２２の軸心２２Ａは、水平面に対して垂直に配置されている。この巻取軸２２と巻取盤２０とが片つばリールとして一体となってＣ方向に回転することで、ガイド１６より導かれる未加硫長尺ゴムシート１１が平連続巻で巻き取られる。ここで、巻取軸２２は、図２に示すように、ハンドル２２Ｂを回転させることで回転する。この回転は、手動であってもモーター等の駆動源による駆動であっても良い。
【００１７】
アーム１２の先端側には、図１に示すように、アーム１２の先端側よりガイド１６を跨いで屈曲内側に張り出された部分に備えられるタッチローラ１８が、巻き取られる未加硫長尺ゴムシート１１の外周面に接触して回転するように配置されている。タッチローラ１８の軸心１８Ａは、巻取軸２２の軸心２２Ａに平行に設けられている。図４に示すように、巻取り径Ｒが大きくなるのに伴い、巻取り開始点２４は巻取軸２２から外側（矢印Ｅの方向）へ向かって移動するが、タッチローラ１８は、巻き取られる未加硫長尺ゴムシート１１の外周面に接触しているので、回転するとともに外側への力が加わり、ガイド１６を含むアーム１２は外側（矢印Ａの方向）に動き、結果として、ガイド１６の先端部１６Ｃと巻取り開始点２４との位置関係は維持される。このため、良好な巻き取りが可能となる。なお、ガイド１６の先端部１６Ｃは、巻取り開始点２４との距離Ｌが極力短くなるように設定するのが好ましい。未加硫長尺ゴムシート１１が巻き取られるまでの不安定な範囲を短くするためである。
【００１８】
次に、実施形態の作用を説明する。
【００１９】
巻取装置１０は、未加硫長尺ゴムシート１１を巻き取る装置であるが、図３に示すように、この未加硫長尺ゴムシート１１は、巻出機５０より巻き出される。巻き出しは、ハンドル５２を回すことにより行う。巻き出された未加硫長尺ゴムシート１１は、搬送ローラ５４により搬送され、ダンサローラ５６を経由する。ダンサローラ５６は、矢印Ｆ及び矢印Ｇのように上下に動き、未加硫長尺ゴムシート１１の張力が一定になるように調整を図る。ここでは、ダンサローラ５６により２００ｇ〜３００ｇのテンションが与えられている。その後、未加硫長尺ゴムシート１１は、水平ローラ５８、傾斜ローラ６０、垂直ローラ６２を通過する過程で、その幅方向が水平面に対して垂直の向きになるように捻られながら、ガイド１６へ導かれる。
【００２０】
図１に示すように、ガイド１６の下部上面１６Ｂは、未加硫長尺ゴムシート１１の下端面１１Ｂ（図５参照）を支持し、巻取軸２２へ案内する。巻取軸２２は、軸心２２Ａが水平面に対して垂直に配置され、未加硫長尺ゴムシート１１をロール状に巻き取る。この巻取軸２２へ巻き取られる未加硫長尺ゴムシート１１の下端面１１Ｂ（図５参照）を巻取盤２０が支持する。また、アーム１２は、巻取り径Ｒの大きさ変更による未加硫長尺ゴムシート１１の移動軌跡の変更にガイド１６を追従させて移動する。
【００２１】
このように、巻出機５０（図３参照）から巻取軸２２に直接巻き付けていくのではなく、ガイド１６が巻取軸２２へ至る経路で未加硫長尺ゴムシート１１を支持することで、より確実に巻き取れるとともに未加硫長尺ゴムシート１１の巻物形態を安定させることができる。また、巻取軸２２の軸心２２Ａを水平でなく、水平面に対して垂直配置することで、巻き取られた未加硫長尺ゴムシート１１の自重を巻取盤２０にかけることができるので、過密着を防止するとともに下端面１１Ｂ（図５参照）を揃えて安定した巻物形態に巻き取ることができ、巻取長を長くすることが可能になる。実施例では、巻取長が１０００ｍ、巻物直径が約１ｍになった。さらに、アーム１２を設けることで、巻き取り量に応じてガイド１６の位置を変えることができる。
【００２２】
上記の実施例によれば、１日６００本のタイヤを生産する場合には、後工程での掛替回数が１回／日となり、従来の１／３から１／５とすることができる。また、巻き取り時の蛇行が抑えられた結果、巻き出し後の湾曲量は従来では、最大２５ｍｍ／ｍ〜３０ｍｍ／ｍ程度であったが、上記の実施例では、１５ｍｍ／ｍまで低減させることが可能となった。
【００２３】
なお、上記の実施の形態では、巻取軸の軸心が水平面に対して垂直配置される場合を例にとって、本発明の実施の形態を具体的に説明したが、図７に示すように、巻取軸の軸心は水平面に対して傾斜配置されていても良く、巻取軸の軸心の配置はこれに限定されるものではない。軸心が傾斜配置されている場合には、支持部材としての巻取盤２０と水平面とが作る傾斜角度θは、θ≦８０°とするのが好ましい。傾斜角度θが８０°を超えると、巻取盤（支持部材）への分力が小さくなり、未加硫長尺ゴムシートの自重による過密着が発生しやすくなるためである。
【００２４】
また、上記の実施の形態では、ガイドの形状が片側エッヂガイド型のものを例にとって説明したが、例えば、深溝の両側エッヂガイド型でも良く、ガイドの形状はこれに限定されない。
【００２５】
【発明の効果】
以上説明したように、本発明の巻取装置によれば、過密着を防止して巻物形態の安定化が図れるとともに、巻取長を長くすることができるという優れた効果を有する。
【図面の簡単な説明】
【図１】本発明の実施の形態に係る巻取装置の斜視図である。
【図２】巻取装置及び巻出装置の平面図である。
【図３】巻取装置及び巻出装置の正面図である。
【図４】本発明の実施形態に係る巻取装置において、巻き取り時の状態を示す拡大平面図である。
【図５】図１の５−５端面図である。
【図６】図１の６−６端面図である。
【図７】巻取軸の軸心を傾斜配置した場合の側面図である。
【図８】（Ａ）従来の巻取装置に係る側面図である。
（Ｂ）従来の巻取装置に係る平面図である。
【符号の説明】
１０    巻取装置
１１    未加硫長尺ゴムシート
１２    アーム（追従手段）
１６    ガイド
２０    巻取盤（支持部材）
２２    巻取軸
２２Ａ  軸心
【図１】
2004224511.tif 000003
【図２】
2004224511.tif 000004
【図３】
2004224511.tif 000005
【図４】
2004224511.tif 000006
【図５】
2004224511.tif 000007
【図６】
2004224511.tif 000008
【図７】
2004224511.tif 000009
【図８】
2004224511.tif 000010